(57)【要約】  ネットワークノード（１１２、１３１、１３２）を機能させる方法は、ページングオケージョン（２１１−２１３）を共有する端末（１０１−１０３、１０４−１０５）の、ウェイクアップ信号（６０１−６０３）のセット（６５０）中の１つ以上のウェイクアップ信号（６０１−６０３）をサポートする機能を示す制御メッセージ（４０１１）を受信することを含む。さらにこの方法は、前記端末（１０１−１０３、１０４−１０５）の機能に基づいて前記ウェイクアップ信号（６０１−６０３）のセット（６５０）からサブセット（６５１−６５３）を決定することであって、前記サブセット（６５１−６５３）は前記ページングオケージョン（２１１−２１３）で使用される少なくとも１つのウェイクアップ信号（６０１−６０３）を含むサブセットを決定することを含む。【選択図】図１０
2021533688.tif 000002
【特許請求の範囲】
【請求項１】
ネットワークノード（１１２、１３１、１３２）を機能させる方法であって、
ページングオケージョン（２１１−２１３）を共有する端末（１０１−１０３、１０４−１０５）の、ウェイクアップ信号（６０１−６０３）のセット（６５０）中の１つ以上のウェイクアップ信号（６０１−６０３）をサポートする機能を示す制御メッセージ（４０１１）を受信することと、
前記受信した制御メッセージ（４０１１）に示された前記端末（１０１−１０３、１０４−１０５）の前記機能に基づいて前記ウェイクアップ信号（６０１−６０３）のセット（６５０）からサブセット（６５１−６５３）を決定することであって、前記サブセット（６５１−６５３）は前記ページングオケージョン（２１１−２１３）で使用される少なくとも１つのウェイクアップ信号（６０１−６０３）を含むサブセットを決定することと、を含むことを特徴とする方法。
【請求項２】
前記サブセット（６５１−６５３）は複数のウェイクアップ信号（６０１−６０３）を含み、
前記複数のウェイクアップ信号（６０１−６０３）は、前記ページングオケージョン（２１１−２１３）に対して異なる時間オフセット（６１１−６１３）及び／又は周波数オフセットを伴う、請求項１に記載の方法。
【請求項３】
前記端末（１０１−１０３、１０４−１０５）に対して、前記時間オフセット（６１１−６１３）及び／又は前記周波数オフセットを示すコンフィギュレーション制御メッセージ（４００１）を送信することをさらに含む請求項２に記載の方法。
【請求項４】
前記端末（１０１−１０３、１０４−１０５）の前記機能に基づいて前記時間オフセット（６１１−６１３）を決定することをさらに含む請求項２又は３に記載の方法。
【請求項５】
前記サブセット（６５１−６５３）は前記端末（１０１−１０３、１０４−１０５）の前記機能の比較に基づいて決定される、請求項１〜４のいずれか１つに記載の方法。
【請求項６】
前記ウェイクアップ信号（６０１−６０３）のセット（６５０）中のある所定のウェイクアップ信号（６０１−６０３）をサポートする前記端末（１０１−１０３、１０４−１０５）の数を決定することと、前記数があらかじめ規定された閾値を越えている場合に前記サブセット（６５１−６５３）内に前記所定のウェイクアップ信号（６０１−６０３）を含むことと、をさらに含む請求項１〜５のいずれか１つに記載の方法。
【請求項７】
前記ウェイクアップ信号（６０１−６０３）のセット（６５０）中の前記ウェイクアップ信号（６０１−６０３）は優先度に応じてランク付けされ、
前記サブセット（６５１−６５３）は前記優先度に基づいて決定される、請求項１〜６のいずれか１つに記載の方法。
【請求項８】
前記サブセット（６５１−６５３）は、前記少なくとも１つのウェイクアップ信号を受信する前記端末（１０１−１０３、１０４−１０５）の全体又は個々の推定電力消費量に基づいて決定される、請求項１〜７のいずれか１つに記載の方法。
【請求項９】
前記サブセット（６５１−６５３）は、前記少なくとも１つのウェイクアップ信号（６０１−６０３）のシグナリングに関連した推定制御シグナリングオーバヘッドに基づいて決定される、請求項１〜８のいずれか１つに記載の方法。
【請求項１０】
前記決定されたサブセット（６５１−６５３）を示すコンフィギュレーション制御メッセージ（４００１）を前記端末（１０１−１０３、１０４−１０５）に送信することをさらに含む、請求項１〜９のいずれか１つに記載の方法。
【請求項１１】
前記ウェイクアップ信号（６０１−６０３）のセット（６５０）中の前記ウェイクアップ信号（６０１−６０３）は、複数の変調方式及び／又は複数の変調コンスタレーションに関連がある、請求項１〜１０のいずれか１つに記載の方法。
【請求項１２】
それぞれのページングオケージョン（２１１−２１３）に対して時間オフセット及び／又は周波数オフセットを置いて、前記サブセット（６５１−６５３）に含まれた前記少なくとも１つのウェイクアップ信号（６０１−６０３）を送信することをさらに含む、請求項１〜１１のいずれか１つに記載の方法。
【請求項１３】
前記端末（１０１−１０３、１０４−１０５）の前記機能に基づいて少なくとも１つの前記端末（１０１−１０３、１０４−１０５）に対するウェイクアップシグナリング機能を無効にすることをさらに含む、請求項１〜１２のいずれか１つに記載の方法。
【請求項１４】
さらなるページングオケージョン（２１１−２１３）を共有するさらなる端末（１０１−１０３、１０４−１０５）からのさらなる制御メッセージ（４０１１）を受信することであって、前記さらなる制御メッセージ（４０１１）は、前記ウェイクアップ信号（６０１−６０３）のセット（６５０）中の前記１つ以上のウェイクアップ信号（６０１−６０３）をそれぞれサポートする前記さらなる端末（１０１−１０３、１０４−１０５）のさらなる機能を示している制御メッセージ（４０１１）を受信することと、
前記さらなる端末（１０１−１０３、１０４−１０５）の前記さらなる機能に基づいて前記ウェイクアップ信号（６０１−６０３）のセット（６５０）のさらなるサブセット（６５１−６５３）を決定することであって、前記サブセット（６５１−６５３）は前記さらなるページングオケージョン（２１１−２１３）で使用される少なくとも１つのさらなるウェイクアップ信号（６０１−６０３）を含むサブセットを決定することと、をさらに含み、
前記サブセット（６５１−６５３）と前記さらなるサブセット（６５１−６５３）とは少なくとも一部が異なっている、請求項１〜１３のいずれか１つに記載の方法。
【請求項１５】
端末（１０１−１０５）を機能させる方法であって、
ネットワーク（１００）への制御メッセージの送信であって、前記制御メッセージは、ウェイクアップ信号（６０１−６０３）のセット（６５０）中の１つ以上のウェイクアップ信号（６０１−６０３）をサポートする、前記端末（１０１−１０５）の機能を示す制御メッセージを送信することと、
前記ネットワーク（１００）からのコンフィギュレーション制御メッセージを受信することであって、前記コンフィギュレーション制御メッセージは前記ウェイクアップ信号（６０１−６０３）のセット（６５０）中のサブセット（６５１−６５３）を示しており、前記サブセット（６５１−６５３）は少なくとも１つのウェイクアップ信号（６０１−６０３）を含むコンフィギュレーション制御メッセージを受信することと、
ページングオケージョン（２１１−２１３）で前記サブセット（６５１−６５３）に含まれた前記少なくとも１つのウェイクアップ信号（６０１−６０３）中のある所定のウェイクアップ信号（６０１−６０３）を検出することと、を含むことを特徴とする方法。
【請求項１６】
前記サブセット（６５１−６５３）は複数のウェイクアップ信号（６０１−６０３）を含み、
前記方法は、
前記複数のウェイクアップ信号（６０１−６０３）の各信号の受信における少なくとも１回の電力消費量と前記複数のウェイクアップ信号（６０１−６０３）の各信号に関連するあらかじめ規定された優先度とに基づいて前記サブセット（６５１−６５３）から所定のウェイクアップ信号（６０１−６０３）を選択することをさらに含む、請求項１５に記載の方法。
【請求項１７】
前記少なくとも１つのウェイクアップ信号（６０１−６０３）は、前記ページングオケージョン（２１１−２１３）に対して時間オフセット及び／又は周波数オフセットを置いて受信される、請求項１５又は１６に記載の方法。
【請求項１８】
前記コンフィギュレーション制御メッセージは前記時間オフセット及び／又は前記周波数オフセットを示す、請求項１７に記載の方法。
【請求項１９】
ページングオケージョン（２１１−２１３）を共有する端末（１０１−１０３、１０４−１０５）の、ウェイクアップ信号（６０１−６０３）のセット（６５０）中の１つ以上のウェイクアップ信号（６０１−６０３）をサポートする機能を示す制御メッセージ（４０１１）を受信し、かつ
前記受信した制御メッセージ（４０１１）に示された前記端末（１０１−１０３、１０４−１０５）の前記機能に基づいて前記ウェイクアップ信号（６０１−６０３）のセット（６５０）からのサブセット（６５１−６５３）の決定であって、前記サブセット（６５１−６５３）は前記ページングオケージョン（２１１−２１３）で使用される少なくとも１つのウェイクアップ信号（６０１−６０３）を含むサブセットを決定する、ように構成される
ことを特徴とするネットワークノード（１１２、１３１、１３２）。
【請求項２０】
前記ネットワークノード（１１２、１３１、１３２）は請求項１〜１４のいずれか１つに記載の方法を実行するように構成される、請求項１６に記載のネットワークノード（１１２、１３１、１３２）。
【請求項２１】
端末（１０１−１０５）であって、
ネットワーク（１００）への制御メッセージの送信であって、前記制御メッセージは、ウェイクアップ信号（６０１−６０３）のセット（６５０）中の１つ以上のウェイクアップ信号（６０１−６０３）をサポートする、前記端末（１０１−１０５）の機能を示す制御メッセージを送信し、
前記ネットワーク（１００）からのコンフィギュレーション制御メッセージの受信であって、前記コンフィギュレーション制御メッセージは前記ウェイクアップ信号（６０１−６０３）のセット（６５０）中のサブセット（６５１−６５３）を示しており、前記サブセット（６５１−６５３）は少なくとも１つのウェイクアップ信号（６０１−６０３）を含むコンフィギュレーション制御メッセージを受信し、かつ
ページングオケージョン（２１１−２１３）で前記サブセット（６５１−６５３）に含まれた前記少なくとも１つのウェイクアップ信号（６０１−６０３）中のある所定のウェイクアップ信号（６０１−６０３）を検出する、ように構成される
ことを特徴とする端末（１０１−１０５）。
【請求項２２】
前記端末（１０１−１０５）は請求項１５〜１８のいずれか１つに記載の方法を実行するように構成される、請求項２１に記載の端末（１０１−１０５）。
【請求項２３】
請求項２１に記載の端末と、
請求項１９に記載のネットワークノードと、
を備えることを特徴とするシステム。
【発明の詳細な説明】
【技術分野】
【０００１】
本発明の種々の実施例はウェイクアップ信号の機能に関し、特にウェイクアップ信号をサポートする端末の不均一な機能をサポートするストラテジに関する。
【背景技術】
【０００２】
第３世代パートナーシッププロジェクト（Third  Generation  Partnership  Project：３ＧＰＰ）無線通信標準化において、ウェイクアップ信号（Wake-Up  Signal：ＷＵＳ）を通信する機能がリリース１５に向けて導入されている。このソリューションは、狭帯域モノのインターネット（Narrowband  Internet  of  Things：ＮＢ−ＩｏＴ）とロングタームエボリューション（Long  Term  Evolution：ＬＴＥ）のマシンタイプ通信（Machine  Type  Communication：ＭＴＣ）との両方に適用できるものである。近く公開される新無線（New  Radio：ＮＲ）の５Ｇ標準もＷＵＳ技術をサポートすると予想される。
【０００３】
より詳細には、ＷＵＳがページングオケージョン（Paging  Occasion：ＰＯ）に先立って送信されて、各端末（ユーザ装置（User  Equipment：ＵＥ））に、少なくとも１つのＵＥがＰＯでページングされることを通知する。この後ＰＯにおいて、少なくとも１つのページング信号（例えば、ページングインジケータ及びページングメッセージ）が送信される。
【０００４】
一般に、ＷＵＳの検出には専用のＷＵＳレシーバ（通常ウェイクアップ無線受信機（Wake  Up  Radio：ＷＵＲ）と呼ばれ、低電力レシーバと呼ばれることもある）が用いられる。ＷＵＲは特別な設計構造を有しており、エネルギ消費が抑えられるようになっている。
【０００５】
３ＧＰＰ  ＬＴＥのリリース１５の仕様では、ＷＵＳは他のＬＴＥ信号にきわめて類似した信号設計に基づいて構成されている。すなわち、ＷＵＲは一般的なＬＴＥ無線受信機（メインレシーバ（Main  Receiver：ＭＲＸ））の機能の全部又は大半を再利用したものになっている。しかし、より検出しやすい波形を用いたＷＵＳ信号設計が行われれば、ＵＥモデムのメーカは、独立したＷＵＲ（すなわち、ＭＲＸとは異なる特化されたハードウェアを有するＷＵＲ）であって、ＷＵＳを待ち受けて受信するときに通常のＬＴＥ無線受信機よりもエネルギ消費が少ないＷＵＲを実現できる可能性がある。
【０００６】
現在、ＷＵＳ機能を実現する上でいくつかの制約と障害とがある。障害の１つにＷＵＲの設計における自由度の限界がある。例えば、ＷＵＳの受信を可能にするためには、ＷＵＲが最小限の仕様要件を満たす必要がある。
【発明の概要】
【課題を解決するための手段】
【０００７】
このため、より高度なＷＵＳ技術が必要になっている。つまり、上記に示した制約と障害との少なくとも一部を克服又は緩和する必要が生じている。
【０００８】
この必要性は独立請求項の諸特徴により満たされる。また、従属請求項の諸特徴により実施形態が規定される。
【０００９】
ネットワークノードを機能させる方法が、ウェイクアップ信号のセット中の１つ以上のウェイクアップ信号をサポートする、複数の端末の機能を示す制御メッセージを受信することを含む。これらの端末はページングオケージョンを共有する。この方法はさらに、前記受信した制御メッセージに示された端末の機能に基づいて前記ウェイクアップ信号のセットからサブセットを決定することを含む。このサブセットは前記ページングオケージョンで使用される少なくとも１つのウェイクアップ信号を含む。
【００１０】
コンピュータプログラムが、少なくとも１つのプロセッサにより実行可能なプログラムコードを含む。このプログラムコードを実行することによって前記少なくとも１つのプロセッサにネットワークノードを機能させる方法を実行させる。この方法は、ウェイクアップ信号のセット中の１つ以上のウェイクアップ信号をサポートする、複数の端末の機能を示す制御メッセージを受信することを含む。これらの端末はページングオケージョンを共有する。この方法はさらに、前記受信した制御メッセージに示された端末の機能に基づいて前記ウェイクアップ信号のセットからサブセットを決定することを含む。このサブセットは前記ページングオケージョンで使用される少なくとも１つのウェイクアップ信号を含む。
【００１１】
また、上記プログラムコードを含む、コンピュータプログラム製品とコンピュータ読取可能記憶媒体とが提供される。
【００１２】
ネットワークノードが、ウェイクアップ信号のセット中の１つ以上のウェイクアップ信号をサポートする、複数の端末の機能を示す制御メッセージを受信するように構成される。これらの端末はページングオケージョンを共有する。このネットワークノードはさらに、前記受信した制御メッセージに示された端末の機能に基づいて前記ウェイクアップ信号のセットからサブセットを決定するように構成される。このサブセットは前記ページングオケージョンで使用される少なくとも１つのウェイクアップ信号を含む。例えば、ネットワークノードの制御回路（例えば、プロセッサとメモリとで形成される回路）が上記の動作を行うように構成される。
【００１３】
端末を機能させる方法が、ネットワークに制御メッセージを送信することを含む。この制御メッセージは、ウェイクアップ信号のセット中の１つ以上のウェイクアップ信号をサポートする、該端末の機能を示す。この方法はさらに、ネットワークからコンフィギュレーション制御メッセージを受信することを含む。コンフィギュレーション制御メッセージは、ウェイクアップ信号のセット中のサブセットを示す。このサブセットは少なくとも１つのウェイクアップ信号を含む。この方法はさらに、ページングオケージョンで、サブセットに含まれた少なくとも１つのウェイクアップ信号中の所定のウェイクアップ信号を検出することを含む。
【００１４】
コンピュータプログラムが、少なくとも１つのプロセッサによって実行可能なプログラムコードを含む。このプログラムコードを実行することによって前記少なくとも１つのプロセッサに端末を機能させる方法を実行させる。この方法は、制御メッセージをネットワークに送信することを含む。この制御メッセージは、ウェイクアップ信号のセット中の１つ以上のウェイクアップ信号をサポートする、端末の機能を示す。この方法はさらに、ネットワークからコンフィギュレーション制御メッセージを受信することを含む。コンフィギュレーション制御メッセージは前記ウェイクアップ信号のセット中のサブセットを示す。このサブセットは少なくとも１つのウェイクアップ信号を含む。この方法はさらに、ページングオケージョンでサブセットに含まれた少なくとも１つのウェイクアップ信号中の所定のウェイクアップ信号を検出することを含む。
【００１５】
さらに、上記プログラムコードを含む、コンピュータプログラム製品とコンピュータ読取可能記憶媒体とが提供される。
【００１６】
端末が、ネットワークに制御メッセージを送信するように構成される。この制御メッセージは、ウェイクアップ信号のセット中の１つ以上のウェイクアップ信号をサポートする、前記端末の機能を示す。この端末はさらに、ネットワークからコンフィギュレーション制御メッセージを受信するように構成される。コンフィギュレーション制御メッセージは、前記ウェイクアップ信号のセット中のサブセットを示す。このサブセットは少なくとも１つのウェイクアップ信号を含む。この端末はさらに、ページングオケージョンで、サブセットに含まれた少なくとも１つのウェイクアップ信号中の所定のウェイクアップ信号を検出するように構成される。
【００１７】
システムが、ネットワークの端末とネットワークノードとを含んで構成される。端末は、ネットワークに制御メッセージを送信するように構成される。この制御メッセージは、ウェイクアップ信号のセット中の１つ以上のウェイクアップ信号をサポートする、該端末の機能を示す。ネットワークノードは、前記端末から前記制御メッセージを受信しかつさらなる端末からさらなる制御メッセージを受信するように構成される。前記制御メッセージとさらなる制御メッセージとは、前記ウェイクアップ信号のセット中の１つ以上のウェイクアップ信号をサポートする、該端末並びにさらなる端末の機能を示す。前記端末とさらなる端末とはページングオケージョンを共有する。ネットワークノードはさらに、前記端末の機能に基づいて前記ウェイクアップ信号のセットからサブセットを決定するように構成される。このサブセットは前記ページングオケージョンで使用される少なくとも１つのウェイクアップ信号を含む。例えば、ネットワークノードの制御回路（例えば、プロセッサとメモリとで形成される回路）が上記の動作を行うように構成される。
【００１８】
上述の特徴と以下で説明するさらなる特徴とは、前述した各組合せに限らず、本発明の範囲内で他の組合せ（又は単独）でも用いることができることは明らかである。
【００１９】
これらの技術により、種々のＷＵＳをサポートするＵＥの不均一な機能をフレキシブルにサポートすることができる。
【００２０】
これらの技術により、ＷＵＳの使用法を適切に調整して電力消費及び／又は制御シグナリングオーバヘッドを低減することができる。
【図面の簡単な説明】
【００２１】
【図１】図１は、種々の実施例に係る、ＷＵＳ機能をＵＥにもたらすセルラネットワークを模式的に示す図である。
【図２】図２は、種々の実施例に係る、セルラネットワークに接続された（又は接続可能な）複数のＵＥを示す図である。
【図３】図３は、種々の実施例に係る、セルラネットワークの無線リンクに形成された複数のチャネルを模式的に示す図である。
【図４】図４は、種々の実施例に係る、セルラネットワークの無線アクセスネットワークの基地局を模式的に示す図である。
【図５】図５は種々の実施例に係るＵＥを模式的に示す図である。
【図６】図６は、種々の実施例に係る、ＵＥのインタフェースのＭＲＸとＷＵＲとを模式的に示す図である。
【図７】図７は、種々の実施例に係る、ＵＥのＭＲＸとＷＵＲとを模式的に示す図である。
【図８】図８は、種々の実施例に係る、ＷＵＳの生成を模式的に示す図である。
【図９】図９は、種々の実施例に係る、ウェイクアップ信号の検出を模式的に示す図である。
【図１０】図１０は、種々の実施例に係る、基地局とＵＥとの通信の信号線図である。
【図１１】図１１は、種々の実施例に係る、機能制御メッセージを模式的に示す図である。
【図１２】図１２は、種々の実施例に係る、複数のＰＯでのＷＵＳの使用を模式的に示す図である。
【図１３】図１３は、種々の実施例に係る方法のフローチャートである。
【図１４】図１４は、種々の実施例に係る方法のフローチャートである。
【発明を実施するための形態】
【００２２】
以下、添付図面を参照して本発明の実施形態を詳細に説明する。以下の実施形態の説明は限定的な意味にとらえるものではないことは明らかである。以下に述べる実施形態や図面はあくまでも例示のためのものであり、本発明の範囲はそれら実施形態や図面によって制限されるものではない。
【００２３】
各図は模式的に示したものであり、図中に示した各構成要素は必ずしも縮尺表示されたものではない。各構成要素は、その機能と一般的用途とが当業者に明らかになるように図示されている。図中に示した、又は本明細書に記載した、機能ブロック、装置、構成部品、又は他の物理的ユニット又は機能的ユニット間の接続はいずれも間接的な接続によって行うことも可能である。また、構成部品間の接続は無線接続によって確立することもできる。ハードウェア、ファームウェア、ソフトウェア、又はそれらの組合せによって種々の機能ブロックが形成され得る。
【００２４】
以下、ＷＵＳ機能を説明する。ＷＵＳ機能により、ＵＥは、例えば省電力のためにＭＲＸを低電力状態に移すことができる。ＭＲＸが低電力状態になると、ＷＵＲを用いてＷＵＳを検出することができる。一般に、ＷＵＳの変調方式は比較的単純である。波形が単純であるため、ＷＵＳは、データ受信信号などの他の信号に比べて低い複雑度のＵＥ処理で検出することができる。波形は時間領域処理を用いて検出することができる。トランスミッタとレシーバとの（例えば、時間領域での）同期は不要又は粗であってよい。一般に、ＷＵＲはＭＲＸに比べてＷＵＳの検出に要する複雑度を低くすることができる。加えて、ＷＵＲの電力消費は、通常動作時のＭＲＸの電力消費よりも著しく少なくて済む。ハードウェアに関しては、ＭＲＸとＷＵＲとは全部又は一部の部品を共有することが可能であり、いずれの部品を共有しないことも可能である。
【００２５】
ＵＥが動作モードであるときに、ＭＲＸを非動作状態に移すことができる。通常、非動作状態ではＭＲＸの構成部品の全部又は一部の給電を行う必要がない。さらにＷＵＳの検出にＷＵＲを使用することができる。
【００２６】
したがって、ＷＵＳ機能を用いることでＵＥの電力消費を著しく低減することができる。
【００２７】
さらに詳細には、ＷＵＳ機能によってＰＯ時の制御チャネルのブラインド復号を回避することができる。一般にブラインド復号は比較的エネルギ効率が悪い。このため、ＷＵＳを使用することで電力消費を下げることができる。これについて以下でさらに詳細に説明する。例えば、３ＧＰＰのシナリオでは、ＰＯ時にＵＥが制御チャネルをブラインド復号することが予想される。制御チャネルとして、マシンタイプ通信用のマシンタイプ物理下りリンク制御チャネル（Machine-type  Physical  Downlink  Control  Channel：ＭＰＤＣＣＨ）、ＬＴＥ用の物理下りリンク制御チャネル（Physical  Downlink  Control  Channel：ＰＤＣＣＨ）、又はＮＢ−ＩＯＴ用の狭帯域ＰＤＣＣＨ（Narrowband  PDCCH：ＮＰＤＣＣＨ）などがある。ＰＯ時のブラインド復号は、通常いわゆるページングインジケータとして送信されるページング識別情報としての、ページング無線ネットワーク一時識別子（Paging  Radio  Network  Temporary  Identifier：Ｐ−ＲＮＴＩ）について行われる。Ｐ−ＲＮＴＩを含むページングインジケータの存在が検出された場合は、ＵＥは、ページングメッセージ用の次のデータ共有チャネル（物理下りリンク共有チャネル（Physical  Downlink  Shared  Channel：ＰＤＳＣＨ））の復号を続ける。ブラインド復号は比較的エネルギ効率が悪く、ＷＵＳ機能を用いて先行のＷＵＳにより条件的にトリガされる。
【００２８】
本明細書記載の各技術は、ＵＥでの電力消費を低減させる能力はＷＵＲのハードウェア設計と相関があるという知見に基づくものである。さらに、それら各技術は、ＷＵＲのハードウェア設計は、例えば、チップセットのメーカや装置のタイプなどに応じて変化するという知見に基づくものでもある。このため、所定の種類の（すなわち、所定の信号設計を有する）ＷＵＳを検出する機能はＵＥ毎に異なるという状況が生じる。また、ＵＥのＷＵＳをサポートする機能が不均一になる。
【００２９】
ネットワークの面では、このＷＵＳの信号設計における不均一なサポートによってＷＵＳの選択の自由度に制約が生じている。例えば、リファレンス実装によれば、ネットワークは、あるＵＥに対してはエネルギ効率の低いＷＵＳを使用せざるを得ないが、他のＵＥに対してはＷＵＳ技術をサポートすることが可能である。総合的には、全ＵＥにわたる総エネルギ消費は準最適なものになる。さらに、個々のＵＥも準最適な信号設計をサポートせざるを得ず、結果として電力消費が増大する。
【００３０】
以下、複数のＵＥ毎のＷＵＳ信号設計の不均一なサポートによって生じる上記の制約を緩和する技術を説明する。具体的には、以下で説明する技術は、複数のＷＵＳ信号設計のフレキシブルなサポートを容易にして、それにより対象となるＷＵＲに応じて個別にＷＵＳ技術を調整するものである。
【００３１】
より詳細には、本明細書記載の種々の技術により、複数のＵＥのアドレス指定に用いる複数のＷＵＳのフレキシブルなコンフィギュレーションが容易になる。種々の実施例により、フレキシブルなＷＵＳの信号設計の様々なオプションが示される。具体的には、複数のＷＵＳ、すなわち様々なタイプのＷＵＳであって、様々な信号設計を有する、及び／又は対応するＰＯに対して異なるタイミングで送信されるように設計された複数のＷＵＳ、をサポートする様々なオプションが示される。これにより様々な種類のＷＵＲをサポートすることができる。すなわち、様々な機能を有するＷＵＲをサポートすることができる。例えば、（例えばあらかじめ規定された）ＷＵＳのセットが送信に利用可能な場合、１つ以上のＰＯに先立って送信される該ＷＵＳのセット中のサブセットをフレキシブルに決定することができる。
【００３２】
本明細書記載の種々の実施例によれば、上記技術は、例えば、セル毎又はＰＯ毎に、複数のＵＥのＷＵＲの機能を検討することにより達成される。例えば、ネットワークがＷＵＳのセット中のサブセットを決定する。すなわち、ネットワークは、ページングオケージョンに先立って送信するＷＵＳのセットから１つ以上のＷＵＳを選択すると共に、ページングオケージョンに先立つ１つ以上のＷＵＳ送信タイミングを選択する。概括すると、ＷＵＳ信号設計における１つ以上のパラメータがＰＯ毎に決定される。
【００３３】
一実施態様例によれば、ネットワークの基地局（Base  Station：ＢＳ）又は他のノードが制御メッセージを受信する。制御メッセージは、ＰＯを共有する複数の端末であって、それぞれがＷＵＳのセット中の１つ以上のＷＵＳをサポートする端末の機能を示している。さらにこの方法は、端末の機能に基づいてＷＵＳのセット中のサブセットを決定することを含む。サブセットは、ＰＯで使用される少なくとも１つのＷＵＳを含む。
【００３４】
当然ながら、これらの技術によって複数の異なるタイプのＷＵＳを用いることが可能になる。例えば、ＰＯを共有するＵＥのＷＵＲの機能に応じて、該ＰＯに先立って送信される利用可能なＷＵＳのセットから１つ以上のＷＵＳが選択される。これにより、ＰＯを共有するＵＥの全部又は少なくとも一部に適切なＷＵＳが送られる。その後、それらＵＥの電力消費が下がる。
【００３５】
図１はセルラネットワーク１００を模式的に示す図である。図１の例は、３ＧＰＰ  ５Ｇアーキテクチャに基づくネットワーク１００を示している。基本的アーキテクチャの詳細は３ＧＰＰ  ＴＳ  ２３．５０１のバージョン１．３．０（２０１７年９月）に記載されている。図１並びに以下の説明の一部はセルラネットワークにおける３ＧＰＰ  ５Ｇフレームワークを示しているが、類似の技術を他の通信プロトコルに容易に適用可能である。他の例として、ＭＴＣ又はＮＢ−ＩＯＴフレームワークにおける３ＧＰＰ  ＬＴＥ  ４Ｇがある。また、電気電子技術者協会（Institute  of  Electrical  and  Electronics：ＩＥＥＥ）  Ｗｉ−Ｆｉ技術などの非セルラ無線システムもある。
【００３６】
図１のシナリオでは、ＵＥ１０１がセルラネットワーク１００に接続可能である。例えば、ＵＥ１０１は、携帯電話、スマートフォン、ＩｏＴ装置、ＭＴＣ装置、センサ、アクチュエータなどのいずれかである。
【００３７】
ＵＥ１０１は無線アクセスネットワーク（Radio  Access  Network：ＲＡＮ）１１１を介してネットワーク１００に接続可能である。ＲＡＮ１１１は通常１つ以上のＢＳ１１２で形成される（図１では簡略のために１つのＢＳ１１２だけを示している）。無線リンク１１４が、ＲＡＮ１１１（具体的にはＲＡＮ１１１の１つ以上のＢＳ１１２）とＵＥ１０１との間に確立される。
【００３８】
ＲＡＮ１１１はコアネットワーク（Core  Network：ＣＮ）１１５に接続されている。ＣＮ１１５はユーザプレーン（User  Plane：ＵＰ）１９１と制御プレーン（Control  Plane：ＣＰ）１９２とを含んで構成される。アプリケーションデータは通常ＵＰ１９１を介してルーティングされる。このために、ＵＰ機能（UP  Function：ＵＰＦ）１２１が備わっている。ＵＰＦ１２１はルータ機能を果たす。アプリケーションデータは１つ以上のＵＰＦ１２１を通過することもある。図１のシナリオでは、ＵＰＦ１２１は、例えばインターネットやローカルエリアネットワークなどの、データネットワーク１８０へのゲートウェイとして機能する。アプリケーションデータは、ＵＥ１０１とデータネットワーク１８０上の１つ以上のサーバとの間で通信される。
【００３９】
ネットワーク１００はさらに、接続及び移動管理機能（Access  and  Mobility  Management  Function：ＡＭＦ）１３１と、セッション管理機能（Session  Management  Function：ＳＭＦ）１３２と、ポリシ制御機能（Policy  Control  Function：ＰＣＦ）１３３と、アプリケーション機能（Application  Function：ＡＦ）１３４と、ネットワークスライス選択機能（Network  Slice  Selection  Function：ＮＳＳＦ）１３４と、認証サーバ機能（Authentication  Server  Function：ＡＵＳＦ）１３６と、統合化データ管理機能（Unified  Data  Management：ＵＤＭ）１３７とを含む。また図１は、これらノード間のプロトコル基準点Ｎ１−Ｎ２２も示している。
【００４０】
ＡＭＦ１３１は以下の諸機能の内の１つ以上の機能を果たす。すなわち、登録管理、非アクセス層（Non-Access  Stratum：ＮＡＳ）ターミネーション、接続管理、到達可能性管理、移動性管理、アクセス認証、及びアクセス認可などの機能である。ＡＭＦ１３１はＮＡＳレベルのセキュリティコンテキストをＵＥ１０１と取り決めることができる。３ＧＰＰ  ＴＳ  ２３．５０１のバージョン１．３．０（２０１７年９月）の６．２．１節を参照されたい。例えば、ＡＭＦ１３１は、各ＵＥ１０１が無線リソース制御（Radio  Resource  Control：ＲＲＣ）のアイドルモードで動作する場合に、ＣＮが開始したＵＥ１０１のページングを制御する。ＡＭＦ１３１は、ＵＥ１０１の不連続受信（Discontinuous  Reception：ＤＲＸ）サイクルのタイミングを把握することができる。ＡＭＦ１３１は、ＵＥ１０１へのＷＵＳ及び／又はページング信号の送信をトリガする。このトリガは、ＤＲＸサイクルのオン期間との関連で定義されるＰＯと時間整合している。
【００４１】
各ＵＥ１０１がコネクテッドモードで動作する場合は、ＡＭＦ１３１によってデータコネクション１８９が確立される。ＵＥ１０１の現在のモードを把握するために、ＡＭＦ１３１はＵＥ１０１を発展型パケットシステム（Evolved  Packet  System：ＥＰＳ）接続管理（EPS  Connection  Management：ＥＣＭ）コネクテッド又はＥＣＭアイドルに設定する。ＥＣＭコネクテッドの間、ＵＥ１０１とＡＭＦ１３１との間で非アクセス層（ＮＡＳ）接続が維持される。ＮＡＳ接続は移動性制御接続の一例となるものである。ＮＡＳ接続はＵＥ１０１のページングに応答してセットアップされる。
【００４２】
ＳＭＦ１３２は以下の諸機能の内の１つ以上の機能を果たす。すなわち、セッションの確立、変更、及び終了並びにＲＡＮ１１１とＵＰＦ１２１との間のＵＰベアラのベアラセットアップなどのセッション管理、ＵＰＦの選択と制御、トラフィックステアリングの構築、ローミング機能、ＮＡＳメッセージの少なくとも一部の終了などの機能である。したがって、ＡＭＦ１３１とＳＭＦ１３２とは共に、移動するＵＥのサポートに必要なＣＰ移動性管理を実行する。
【００４３】
本明細書記載の実施例の一部において、ＡＭＦ１３１及び／又はＳＭＦ１３２もまたサポートされたＷＵＳのセットからのサブセットの決定をサポートするように構成される。
【００４４】
データコネクション１８９が、ＲＡＮ１１１を介して、ＵＥ１０１とＣＮ１１５のＤＰ１９１との間でＤＮ１８０に向けて確立される。例えば、インターネット又は他のパケットデータネットワークとの接続が確立される。データコネクション１８９を確立するために、各ＵＥ１０１は、例えば、ページング信号と（必要に応じて）先行のＷＵＳとの受信に応答して、ランダムアクセス（Random  Access  Channel：ＲＡＣＨ）手順を実行することができる。ＤＮ１８０のサーバは、ペイロードデータがデータコネクション１８９を介して送信されるサービスをホストする。データコネクション１８９は、専用ベアラ又はデフォルトベアラなどの１つ以上のベアラを含んで構成される。データコネクション１８９は、例えば、一般にレイヤ２のＯＳＩモデルのレイヤ３である、ＲＲＣレイヤ上で定義される。
【００４５】
図２にＲＡＮ１１１に関する様態を示す。図２のシナリオでは、複数のＵＥ（１０１−１０５）がＲＡＮ１１１のＢＳ１１２に接続されている。例えば、ＵＥ（１０１−１０３）が第１のＰＯ２１１を共有し、ＵＥ（１０４−１０５）が第２のＰＯ２１２を共有している（これらを図２に破線で模式的に示す）。
【００４６】
ＰＯの共有とは、複数のＵＥが同一のＰＯに割り当てられていることに等しい。したがって、ネットワークがＰＯを共有する複数のＵＥ中の１つをページングする場合、１つ以上のページング信号がＰＯで送信される。
【００４７】
ＵＥ（１０１−１０５）は、各ＵＥ１０１−１０５の加入者に関連する加入者エンティティなどの様々な判断基準に基づいてそれぞれ各ＰＯ（２１１、２１２）に割り当てられる。
【００４８】
図２はＢＳ１１２に関連するセル１１２Ａを模式的に示す図である。通常、複数のセル１１２Ａがトラッキングエリア（Tracking  Area：ＴＡ）を形成する。ページングストラテジは通常ＴＡレベル毎に実施される。ページングストラテジは通常ネットワークのベンダ又はオペレータに特有の実施様態である。例えば、ネットワークは通常、ＵＥ（１０１−１０５）のそれぞれが現在どのセル１１２Ａに位置しているかはわからないが、ＴＡを形成するセル群内に位置していることだけはわかる。したがって、トラッキングエリア全体に同様のページングストラテジを定義することはネットワークにとって意味があるが、これは特定の（標準化されていない）ネットワーク実装であるので必須ではない。一般に、ＷＵＳ機能に関連する様々な設定はＴＡ全体にわたって異なっていてもよいし異なっていなくてもよい。
【００４９】
図３に、無線リンク１１４に形成されたチャネル２６１−２６３に関する様態を示す。無線リンク１１４により複数のチャネル２６１−２６３が形成される。チャネル２６１−２６３のリソースは、例えば周波数領域及び／又は時間領域において互いにオフセットしている。例えば、別々のキャリアがチャネル２６１−２６３のそれぞれに使用される。あるいは、例えば、直交周波数分割多重（Orthogonal  Frequency  Division  Multiplexing：ＯＦＤＭ）に基づいて、複数のサブキャリアを有するキャリアを用いることもできる。
【００５０】
例えば、第１チャネル２６１がＷＵＳを伝送する。ＷＵＳによってネットワーク１００（例えば、ＡＭＦ１３１）はＰＯに先立ってＵＥ（１０１−１０５）をウェイクアップすることができる。
【００５１】
第２チャネル２６２はページングインジケータであって、ネットワーク１００（例えば、ＡＭＦ１３１）がＰＯ時にＵＥ（１０１−１０５）をページングすることを可能にするページングインジケータを伝送する。通常、ページングインジケータは、シナリオに応じてＰＤＣＣＨ、ＭＰＤＣＣＨ、又はＮＰＤＣＣＨ上で送信される。
【００５２】
上記から明らかなとおり、ＷＵＳとページングインジケータとは別々のチャネル２６１、２６２で送信される点が異なる。種々のリソースがそれぞれ異なるチャネル２６１−２６３に割り当てられる。
【００５３】
第３チャネル２６３はペイロードメッセージであって、ＵＥ（１０１−１０５）とＢＳ１１２（ペイロードチャネル２６３）とによって実施される所定のサービスに関連する上位層のユーザプレーンデータパケットを伝送するペイロードメッセージに関連するチャネルである。ユーザデータメッセージがペイロードチャネル２６３を介して送信される。あるいは、例えば、ページングメッセージなどの制御メッセージがチャネル２６３を介して送信される。
【００５４】
図４にＢＳ１１２を模式的に示す。ＢＳ１１２はインタフェース１１２１を含む。例えば、インタフェース１１２１はアナログフロントエンドとデジタルフロントエンドとを備えている。このインタフェースは、例えば、種々の変調方式、コーディング方式、及び／又は多重化方式などの複数の信号設計をサポートする。ＢＳ１１２はさらに、例えば、１つ以上のプロセッサとソフトウェアとにより形成される制御回路１１２２を含む。例えば、制御回路１１２２によって実行されるプログラムコードが不揮発性メモリ１１２３に保存される。本明細書記載の様々な実施例において、様々な機能が制御回路１１２２によって実行される。例えば、ＵＥからＷＵＳ関連の機能を受信すること、ＵＥのＷＵＳ関連の機能を比較すること、ＷＵＳ関連の機能に基づいてＰＯで使用される少なくとも１つのＷＵＳを決定すること、ＷＵＳ関連のコンフィギュレーションをＵＥに送信すること、及びＰＯに先立って少なくとも１つのＷＵＳの送信すること及び／又は送信をトリガすること、などの機能である。
【００５５】
一般に、例えば、ＡＭＦ１３１又はＳＭＦ１３２などの、ネットワーク１００の他のノードもまたＢＳ１１２のコンフィギュレーションに相当する方法で構成される。
【００５６】
図５にＵＥ１０１を模式的に示す。ＵＥ１０１はインタフェース１０１１を備えている。例えば、インタフェース１０１１はアナログフロントエンドとデジタルフロントエンドとを備えている。実施例によっては、インタフェース１０１１がＭＲＸとＷＵＲとを有するものもある。ＭＲＸとＷＵＲとはそれぞれアナログフロントエンドとデジタルフロントエンドとを備えている。ＭＲＸとＷＵＲとは異なる信号設計をサポートする。例えば、ＷＵＲは通常ＭＲＸよりも単純な信号設計をサポートする。例えば、ＷＵＲは、ＭＲＸより単純な変調や、ＭＲＸより下位のコンスタレーションを有する変調方式などのみをサポートする。例えば、ＷＵＲはＯＦＤＭ復調をサポートしない。また、ＷＵＲは時間領域処理をサポートするが、同期復調をサポートしない。ＵＥ１０１はさらに、例えば、１つ以上のプロセッサとソフトウェアとによって形成される、制御回路１０１２を備えている。制御回路１０１２は、少なくとも一部がハードウェアで形成されてもよい。例えば、制御回路１０１２によって実行されるプログラムコードが不揮発性メモリ１０１３に保存される。本開示の種々の実施例において、様々な機能が制御回路１０１２によって実行される。例えば、ＷＵＳ関連の機能のネットワークへの送信、ＷＵＳ関連のコンフィギュレーションの受信、ＷＵＳ関連コンフィギュレーションに基づくＷＵＳの検出などの機能である。
【００５７】
図６にＵＥ１０１のインタフェース１０１１に関する詳細を示す。特に、図６はＭＲＸ１３５１とＷＵＲ１３５２に関する態様を示している。図６では、ＭＲＸ１３５１とＷＵＲ１３５２とは別々のエンティティとして形成されている。例えば、これらは別々のチップに形成される。また、例えば、これらは別々のハウジング内に形成される。さらに、例えば、これらは共通電源を共有しない。
【００５８】
図６のシナリオによれば、ＭＲＸ１３５１を非動作状態で動作させるときにＭＲＸ１３５１の構成部品の一部又は全部をオフにすることができる。本明細書記載の各実施例において、ＷＵＲ１３５２を用いてＷＵＳを受信することができる。さらに、ＷＵＲ１３５２は、例えばＤＲＸサイクルに応じて、非動作状態と動作状態とに切り替えられる。例えば、ＷＵＲ１３５２は、ＰＯに先立って所定の時間オフセットを置いて動作状態に移される。
【００５９】
例えば、ＭＲＸ１３５１がオンにされると、ＷＵＲ１３５２がオフにされる。逆もまた同様である。したがって、ＭＲＸ１３５１とＷＵＲ１３５２との動作は（図６に矢印で示したように）相互に関連し合っている。
【００６０】
図７にＵＥ１０１のインタフェース１０１１に関する詳細を示す。特に、図７はＭＲＸ１３５１とＷＵＲ１３５２とに関する態様を示している。図７では、ＭＲＸ１３５１とＷＵＲ１３５２とは共通エンティティとして形成されている。例えば、これらは共通のチップに形成される（すなわち共通のダイに集積される）。また、例えば、これらは共通のハウジング内に形成される。さらに、例えば、これらは共通電源を共有する。
【００６１】
図７のシナリオによれば、（例えばＷＵＳの）ＷＵＲ１３５２による受信とＭＲＸ１３５１による受信との間の遷移におけるレイテンシを著しく小さくすることができる。
【００６２】
図６と図７とに示したシナリオでは、ＭＲＸ１３５１とＷＵＲ１３５２とは共通のアンテナを共有しているが、別の実施例において、インタフェース１０１１がＭＲＸ１３５１とＷＵＲ１３５２とにそれぞれ専用のアンテナとを有することも可能である。
【００６３】
図６と図７とに示したシナリオでは、専用のＷＵＲ１３５２が備わっているが、他の実施例ではＷＵＲを備えていないこともある。ＷＵＲの代わりに、低電力状態のＭＲＸ１３５１によってＷＵＳが受信される。例えば、低電力状態のＭＲＸ１３５１がＷＵＳ以外の通常のデータの受信には適さないこともある。ＷＵＳの受信に応じて、ＭＲＸ１３５１は、例えばチャネル２６３などからの通常データの受信に適した、高電力状態に移る。
【００６４】
概括すると、各種のオプションを用いて、ＷＵＳの受信を容易にするレシーバハードウェアを実現することができる。
【００６５】
図８に様々な実施例に係る方法のフローチャートを示す。図８はＷＵＳの生成に関する様相を示している。また、図８はＷＵＳの信号設計に関する様々な様相を模式的に示している。
【００６６】
例えば、図８の方法はＢＳ１１２の制御回路１１２２によって実行される。本明細書記載の種々の実施例において、図８の方法によりＷＵＳを生成することができる。一般に、利用可能なＷＵＳのセットがあり、このＷＵＳのセットにおける各ＷＵＳは、ブロック２００１−２００３に関連して後述する１つ以上の特定の信号設計パラメータを有している。
【００６７】
最初に、ベースシーケンスが選択される（２００１）。例えば、このベースシーケンスはランダムに生成されたビットのセットからなる。例えば、このベースシーケンスはＵＥ又はＵＥのグループに特有のものである。例えば、このベースシーケンスはネットワーク１００のセル１６１−１６８に特有のものである。例えば、このベースシーケンスはＺａｄｏｆｆ−Ｃｈｕシーケンス、直交又は疑似直交シーケンスのセットから選択されたシーケンス、及びウォルシュ−アダマールシーケンスを含むグループから選択される。例えば、該特定のベースシーケンス又はベースシーケンスのタイプの選択はＷＵＳの信号設計に基づいて行われる。また、例えば、ＷＵＳのベースシーケンスのシーケンス長の設定がＷＵＳの信号設計に基づいて行われる。また、ベースシーケンスの選択がＷＵＳの信号設計に基づいて行われる。
【００６８】
次に、ベースシーケンスに拡散が適用される（２００２）。ビットシーケンスを拡散すると、入信ビットシーケンスが拡散シーケンスによって拡散又は多重化される。これにより入信ビットシーケンスの長さが拡散計数Ｋの分だけ長くなる。得られたビットシーケンスは、入信ビットシーケンスの拡散計数倍の長さと同じ長さを有している。拡散の詳細は拡散パラメータによって設定される。例えば、拡散パラメータによって拡散シーケンスが特定される（例えば、拡散シーケンスの長さ又は拡散シーケンスの個々のビットなどが特定される）。拡散パラメータの設定はＷＵＳの信号設計に基づいて行われる。
【００６９】
次に、拡散されたベースシーケンスにスクランブリングが適用される（２００３）。スクランブリングは、１つ以上のルールにしたがって入信ビットシーケンスのビットのシーケンスを交換又は置換することに係る。スクランブリングによって入信ビットシーケンスのランダム化が行われる。スクランブリングコードに基づいて、元のビットシーケンスがレシーバで再生される。スクランブリングの詳細はスクランブリングパラメータによって設定される。例えば、スクランブリングパラメータによって上記１つ以上のルールが識別される。また、例えば、スクランブリングパラメータはスクランブリングコードに関わる。スクランブリングパラメータの設定はＷＵＳの信号設計に基づいて行われる。
【００７０】
実施例によっては、チェックサムをＷＵＳに付加することもできる。チェックサムの付加はＷＵＳの信号設計に基づいて行われる。例えば、チェックサム保護パラメータによりチェックサムを含めるか含めないかが設定される。また、例えば、チェックサム保護パラメータによりチェックサムの長さが設定される。さらに、例えば、チェックサム保護パラメータにより、例えば別々の誤り訂正アルゴリズムなどにしたがってチェックサムのタイプが設定される。チェックサムによってジョイント誤り検出を行うことができ、さらに必要に応じてＷＵＳの全長にわたっての訂正機能が得られる。
【００７１】
実施例によっては、ＷＵＳにプリアンブルを付加することができる。プリアンブルはプリアンブルビットのシーケンスを含んで構成される。例えば、プリアンブルビットのシーケンスは特有の長さを有している。このプリアンブルビットのシーケンスにより、例えば、バースト誤りやチャネル遅延拡散などが生じても、ＷＵＳのロバスト同定が可能になる。プリアンブルの存在、プリアンブルの長さ、及び／又はプリアンブルシーケンスのタイプなどは、ＷＵＳの信号設計におけるプリアンブルパラメータに応じて設定される特性である。
【００７２】
最後に、ブロック２００４で、ブロック（２００１−２００３）で得られたビットシーケンスが、例えば、オン／オフキーイング（On-Off-Keying：ＯＯＫ）又は周波数偏移キーイング（Frequency  Shift  Keying：ＦＳＫ）などの、変調方式にしたがって変調される。これはアナログ処理に相当する。異なる変調方式はそれぞれ異なるコンスタレーションによって表現される。場合によっては、ある変調方式内で、ビットローディングの変更、すなわち１シンボル当りのビット数の増減及びそれによる変調コンスタレーションの変更を行うことができる。これらの変調に関連するパラメータは全てＷＵＳの信号設計に基づいている。異なるＷＵＳは、それぞれ異なる変調方式及び／又は変調コンスタレーションに関連がある。
【００７３】
図９にＷＵＲ１３５２によるＷＵＳ６０１の検出に関する様態を示す。
【００７４】
アナログフロントエンド１３６１が、ベースバンドのＷＵＳ６０１に対応するビットシーケンスをデジタルフロントエンド１３６９に出力する。このために、ＷＵＳ６０１の信号設計に基づいて変調方式及び／又は変調コンスタレーションに合わせた復調を用いる。通常、異なるＷＵＲ１３５２は、それぞれ異なる変調方式及び／又は変調コンスタレーションがサポートされたアナログフロントエンド１３６１を備えている。多くの場合、同期変調であって、アナログフロントエンド１３６１とトランスミッタとの同期（時間領域及び／又は周波数領域での同期）が確立されている同期変調はＷＵＲ１３５２によるサポートを受けない。アナログフロントエンド１３５１にシンボルレベルバッファを設けてもよい。次いで、復調器によってバッファ内のシンボルシーケンスがビットシーケンスに変換される。これによりシンボルレベルからビットレベルへの変換がマーキングされる。次いで、デジタルフロントエンドによってビットレベルの処理がデジタル領域で行われる。
【００７５】
次いで、スクランブル解析機能１３６２がスクランブル解析を行う。
【００７６】
次に、逆拡散機能１３６３が適用される。
【００７７】
次に、閾値ユニット１３６４が適用される。
【００７８】
シーケンスデコーダ１３６５がビットシーケンスに復号アルゴリズムを適用する。最後に、トランスミッタで用いられたベースシーケンスが再構築される。
【００７９】
この後、ベースシーケンスと参照シーケンスとの相互相関を行うことができる。相互相関によって有意な結果が生じた場合は、ＷＵＳ６０１が特定のＵＥ１０１にアドレス指定され、さらにＵＥ（１０２−１０５）にもアドレス指定された可能性があると判定される。前記相互相関に基づいて、ＭＲＸ１３５１を非動作状態から動作状態に選択的に移すことができる。
【００８０】
図１０は信号線図であり、ＵＥ１０１とセル１６１のＢＳ１１２との間の通信に関する様態を示している。また図１０は、ＷＵＳ６０１の送信及び／又は受信（すなわち通信）に関する様態を示している。特に、図１０は、ＷＵＳの通信と、本明細書記載の種々の実施例で用いられるＰＯ２１１でのページング信号４００４及びページングメッセージ４００５の通信との相互関係に関する様態を示している。
【００８１】
３００１で、機能制御メッセージ４０１１の通信が行われる。機能制御メッセージ４０１１はＵＥ１０１から送信されてＢＳ１１２に受信される。例えば、機能制御メッセージ４０１１は、例えば物理上りリンク制御チェンジ（Physical  Uplink  Control  Change：ＰＵＣＣＨ）などの制御チャネル上で通信される。また例えば、機能制御メッセージ４０１１はレイヤ２又はレイヤ３の制御メッセージである。さらに機能制御メッセージ４０１１はＲＲＣ又はより上位層のシグナリングに関するメッセージである。
【００８２】
さらに詳細に後述するとおり、機能制御メッセージ４０１１は一般にＵＥ１０１とＵＥ１０２とのそれぞれのＷＵＳ機能に関するメッセージである。種々の実施例において、機能制御メッセージ４０１１は、ＵＥ１０１とＵＥ１０２とのそれぞれの、あらかじめ規定されたＷＵＳ６０１のセット中の１つ以上のＷＵＳ６０１をサポートする機能（ＷＵＳ関連の機能）を示している。
【００８３】
３００２で、さらなる機能制御メッセージ４０１１の通信が行われる。３００２における機能制御メッセージ４０１１はＵＥ１０２から送信されてＢＳ１１２に受信される。ＵＥ１０２から送信される機能制御メッセージ４０１１は概ねＵＥ１０１から送信される機能制御メッセージ４０１１に一致しているが、情報の内容が異なっている。
【００８４】
図１０の例では、簡明のためにＵＥ１０１及びＵＥ１０２のみを示しているが、一般にＢＳ１１２は３つ以上のＵＥから機能制御メッセージ４０１１を受信することができる。例えば、ＢＳ１１２は、接続された全てのＵＥ及び／又はアイドルモードの各セルに位置する全てのＵＥから機能制御メッセージ４０１１を受信することができる。
【００８５】
一般に、ＵＥ（１０１−１０５）は、ＢＳ１１２への接続に応じて又はＢＳ１１２から受信したリクエストに応じて機能制御メッセージ４０１１を送信する。
【００８６】
一般に、サポート可能又はサポート不能の様々なＷＵＳ関連の機能があると考えられる。それら機能の例として、どの波形の受信をサポートするか、どのＷＵＲ感度レベルをＷＵＳ検出のためにサポートするか、及び／又はどの最小時間オフセットを必要とするか、及び／又は、例えば、種々の異なるＷＵＳタイプに対してどの最大時間オフセットをＷＵＳとＰＯとの間に許容するか、などがある。
【００８７】
ある特定例として、３００１でＵＥ１０２から送信された機能制御メッセージ４０１１は、ＯＯＫを用いて変調されたＷＵＳ６０１をサポートすると共にＦＳＫを用いて変調されたＷＵＳもサポートするＵＥ１０２を標示する。一方、３００２でＵＥ１０１から送信された機能制御メッセージ４０１１は、ＯＯＫを用いて変調されたＷＵＳ６０１をサポートするがＦＳＫを用いて変調されたＷＵＳ６０１はサポートしないＵＥ１０１を標示する。
【００８８】
一般に、機能制御メッセージ４０１１によるこのような標示を行うために利用できるオプションとして様々なものがある。第１の例では、あらかじめ規定されたＷＵＳのセットを定義したコードブックが用いられ、次いでビットマップが用いられる。このビットマップの各位置は、ＷＵＳのセット中の関連するＷＵＳをサポートする信号又はサポートしない信号のいずれかである１ビットを含む（図１１を参照。このようなシナリオが図示されている。図中、機能制御メッセージ４０１１は３ビットのビットマップを含み、そのビットマップの各位置（４０９１−４０９３）は対応するＷＵＳ（６０１−６０３）をサポートする（又はしない）機能を表している）。第２の例では、様々なＷＵＳに対するマルチビット情報フィールドを含んだ、より明確（すなわちより詳細）な標示が用いられる。第３の例では、ＵＥは、該ＵＥがサポートするＷＵＳの信号設計パラメータのパラメータ範囲（例えば、下方境界及び／又は上方境界によって画定されたパラメータ範囲）を特定することもできる（図８参照。このような信号設計パラメータが種々示されている）。
【００８９】
図２に関連して前述したとおり、ＵＥ１０１とＵＥ１０２とはＰＯ２１１を共有している。このため、ＢＳ１１２は、標示されたＵＥ１０１とＵＥ１０２とのＷＵＳ関連の機能を用いて、ＷＵＳのセットからＰＯ２１１で用いるＷＵＳのサブセットを決定する（ブロック３００３）。図１０の例では、ＢＳ１１２は、ＯＯＫを用いたＷＵＳ６０１のみを含む（例えばＦＳＫを用いたＷＵＳ６０２とＷＵＳ６０３とを含まない）サブセットを決定する。
【００９０】
これに対応する信号選択及び／又はＷＵＳ機能関連の他のパラメータ（例えば、ＰＯに関連するＷＵＳ送信の時間オフセット及び／又は周波数オフセット）が、コンフィギュレーション制御メッセージ４００１を用いて、３００４と３００４とでＵＥ１０１とＵＥ１０２とに信号伝達される（又はされない）。言い換えると、コンフィギュレーション制御メッセージ４００１は上記決定されたサブセットを標示する。この通信は好適にはシステム情報シグナリングを用いて行われるが、同報通信シグナリングと専用シグナリングとのいずれも用いることができる。
【００９１】
コンフィギュレーション制御メッセージ４００１は、サブセットに含まれたＷＵＳの信号設計コンフィギュレーションを示しており、ＰＯ２１１で送信される。これにより、ＵＥが複数のタイプのＷＵＳ６０１をサポートしている場合、そのＵＥは標示された信号設計コンフィギュレーションにしたがって当該ＷＵＲを適切に構成する。さらに、コードブックが、例えばビットマップであって、それぞれのセットにおける各ＷＵＳについて使用又は不使用を標示したビットマップと関連付けて使用される。
【００９２】
実施例によっては、コンフィギュレーション制御メッセージ４００１がサブセットに含まれた複数のＷＵＳを標示するものもある。この場合、各ＵＥは、ＰＯで送信される複数のＷＵＳ中の１つ以上のＷＵＳを選択し、それに応じて該ＵＥのＷＵＲを構成する。この選択は、例えば電力消費やあらかじめ規定された優先度などに基づいて行われる。
【００９３】
前述したとおり、決定されたサブセットが複数のＷＵＳを含む例があると考えられる。その場合、複数のＷＵＳはＰＯに先立って種々の異なるリソースで送信される。例えば、時分割２重及び／又は周波数分割２重及び／又は符号分割２重方式が使用される。したがって、サブセット中の複数のＷＵＳには、ＰＯに対して異なる時間オフセット及び／又は異なる周波数オフセットを用いることができる。コンフィギュレーション制御メッセージ４００１がサブセット中の複数のＷＵＳの時間オフセット及び／又は周波数オフセットを標示することも可能である。
【００９４】
３００６と３００７とで、ユーザデータメッセージ４００２が、ＢＳ１１２とＵＥ１０１及びＵＥ１０２のそれぞれとの間で通信される。例えば、ユーザデータメッセージ４００２が各ペイロードチャネル２６３上で通信される。例えば、ユーザデータメッセージ４００２は、例えばベアラの一部であるデータコネクション１８９に沿って通信される。
【００９５】
４００１と、４０１１と、４００２との各メッセージは、ＵＥ１０１、１０２のＭＲＸ１３５１と通信される。
【００９６】
その後、ＵＥ１０１、１０２とＢＳ１１２との間でそれ以上通信されるデータがなくなり、送信バッファが空になる。各非動作タイマが終了すると、ＵＥ１０１とＵＥ１０２とは各々のＭＲＸ１３５１を非動作状態に移す。また、データコネクション１８９が解除される。一方、ＵＥ１０１とＵＥ１０２とのＷＵＲ１３５２は、例えばＤＲＸサイクルに応じて動作状態に移る。
【００９７】
ある時点で、ＢＳ１１２はＵＥ１０１のページングを試みる（ＵＥ１０２のページングは試みない）。ＵＥ１０１のＭＲＸ１３５１は非動作状態なので、ＢＳ１１２はＵＥ１０１を直接ページングすることはできない。したがって、３０１０で、ＢＳ１１２はコンフィギュレーション制御メッセージ４００１に基づいてＷＵＳ６０１を送信する。ＷＵＳ６０１は、ＰＯ２１１に対してあらかじめ規定された時間オフセット及び／又は周波数オフセットを置いて通信される。ＷＵＳ６０１はチャネル２６１上で通信される（図３参照）。
【００９８】
ＵＥ１０１とＵＥ１０２とは共に、３０１０で送信されたＷＵＳ６０１を検出する。通常、ＷＵＳ６０１はＵＥ１０１の識別情報を標示しない。そのため、３０１０でＷＵＳ６０１を受信した時点では、ＵＥ１０１とＵＥ１０２とは、それらの内のどちらがページングされようとしているかについて不明な状態にある。
【００９９】
したがって、ＵＥ１０１とＵＥ１０２とは共に、ＷＵＳ６０１を検出すると、ＭＲＸ１３５１を動作状態に移す。ＵＥ１０１とＵＥ１０２とのそれぞれのＷＵＲ１３５２は非動作状態に移される。
【０１００】
次いで、３０１３で、ページングインジケータ４００４がＢＳ１１２から送信される。ページングインジケータ４００４はＵＥ１０１のＭＲＸ１３５１とＵＥ１０２のＭＲＸ１３５１とによって受信される。例えば、ページングインジケータは、例えばＰＤＣＣＨなどのチャネル２６２上で送信される。ページングインジケータ４００４はＰ−ＲＮＴＩを含む。ただし、Ｐ−ＲＮＴＩでは、どのＵＥがページングされようとしているかについてのＵＥにおける不明確さは解消されない。
【０１０１】
ページングインジケータ４００４は、３０１４でページングメッセージ４００５の通信に用いた変調方式と符号化率の組合せ（Modulation  And  Coding  Scheme：ＭＣＳ）に関する情報を含む。ページングメッセージ４００５は、例えばＰＤＳＣＨ（図３参照）などの共通チャネル２６３上で通信される。通常、ページングインジケータ４００４とページングメッセージ４００５とは別々のチャネル上で通信される。ページングメッセージ４００５は、ページングインジケータ４００４に標示されたＭＣＳにしたがって変調及び符号化される。このため、ＵＥ１０１は最初にページングインジケータ４００４を受信し、次にページングメッセージ４００５を受信する必要がある。
【０１０２】
この後、ページングメッセージ３０１４がＵＥ１０１の認証情報を示す。ただし、ネットワークはＵＥ１０２のページングを行わないので、ＵＥ１０２の認証情報は示されない。したがって、ＵＥ１０２のＭＲＸ１３５１は、３０１４でページングメッセージ４００５を受信すると、３０１５で再び非動作状態に移される。
【０１０３】
３０１６で、データコネクション１８９がＵＥ１０１とＢＳ１１２との間にセットアップされる。このセットアップはランダムアクセス手順とＲＲＣセットアップとを含む。
【０１０４】
最後に３０１７で、上りリンク（Uplink：ＵＬ）又は下りリンク（Downlink：ＤＬ）のユーザデータメッセージ４００２が、新たにセットアップされたデータコネクション１８９を用いて、ＵＥ１０１とＢＳ１１２との間で通信される。
【０１０５】
図１０から明らかなとおり、３００３でＷＵＳのセット中のサブセットを適切に決定することによって、ＷＵＳのセット中の１つ以上のＷＵＳをサポートする、ＰＯ２１１を共有するＵＥ（１０１、１０２）の偏りのある（不均一な）ＷＵＳ関連の機能を考慮しても、ＰＯ２１１を共有する複数のＵＥ（１０１、１０２）へのＷＵＳの送信をサポートすることができる。一般に、種々のストラテジをサブセットの決定に用いることができる。図１１に関連するいくつかのストラテジの例を以下に説明する。
【０１０６】
図１２に、ＰＯ（２１１−２１３）を共有するＵＥ（１０１−１０５）のＷＵＳ関連の機能に基づく、ＷＵＳのセット中のサブセットの決定に関する様態を模式的に示す。
【０１０７】
図１２に示すとおり、複数のＰＯ（２１１−２１３）が存在する。ＰＯ（２１１−２１３）は時間の経過と共に繰り返される。通常、複数のＵＥ（１０１−１０５）が１つのＰＯ（２１１−２１３）を共有する。例えば、ＵＥ（１０１−１０３）がＰＯ２１１を共有し、ＵＥ１０４とＵＥ１０５とがＰＯ２１２（図２も参照）を共有し、その他のＵＥがＰＯ２１３を共有する。
【０１０８】
１つのＰＯ（２１１−２１３）の共有とは、ある１つのＰＯ（２１１−２１３）時に該１つのＰＯ（２１１−２１３）を共有する複数のＵＥの１つに、ネットワークがページング信号を送信することを意味する。したがって、通常、あるＰＯで、複数のページング信号を送信して、該ＰＯを共有する複数のＵＥ（１０１−１０５）をページングすることができる。
【０１０９】
図１２の例では、例えば所定のコードブックに基づく、利用可能な３つの異なるＷＵＳ（６０１−６０３）のセット６５０が存在する。例えば、セット６５０の異なるＷＵＳ（６０１−６０３）は、変調方式又はコンスタレーションマッピングがそれぞれ異なっている。通常、ＷＵＳ（６０１−６０３）の信号設計における１つ以上のパラメータは、サポートされたセット６５０における複数のＷＵＳ毎に異なっている（図８参照）。
【０１１０】
図１２に示すとおり、ＷＵＳ（６０１−６０３）は、各ＰＯ（２１１−２１３）の開始に対する時間オフセット（６１１−６１３）が異なっている。これはＷＵＳ（６０１−６０３）の時分割２重の実施態様に一致する。別のシナリオでは、この時分割２重が周波数分割２重及び／又はコード分割２重に置換される、又はそれと組合せられる。
【０１１１】
図１２に示すとおり、ＢＳ１１２は、ＰＯ（２１１−２１３）毎にＷＵＳ（６０１−６０３）のセット６５０のサブセット（６５１−６５２）を決定する。例えば、ＰＯ２１１に関連するサブセット６５１はＷＵＳ６０１を含むが、ＷＵＳ６０２とＷＵＳ６０３とを含まない。したがって、ＷＵＳ６０１だけがＰＯ２１１に先立って送信される（図１０参照）。ＰＯ２１２に関連するサブセット６５２はＷＵＳ６０３だけを含み、ＰＯ２１３に関連するサブセット６５３はＷＵＳ６０１とＷＵＳ６０３とを含む。
【０１１２】
ＷＵＳ（６０１−６０３）のセット６５０からのサブセット（６５１−６５３）の決定は、例えば、各機能制御メッセージ（図１０の機能制御メッセージ４０１１を参照）を用いて、各ＵＥ（１０１−１０５）により通知されたＷＵＳ関連の機能に基づいて行われる。この通知されたＵＥ（１０１−１０３）のＷＵＳ関連の機能に基づいて時間オフセット（６１１−６１３）を決定することもできる。
【０１１３】
一般に、様々なストラテジをサブセット（６５１−６５３）の決定に利用できる。それらストラテジのいくつかを以下に説明する。別のシナリオでは、以下に説明する複数のストラテジが組合せて用いられる。
【０１１４】
例えば、サブセット（６５１−６５３）は、各ＰＯ（２１１−２１３）を共有するＵＥ（１０１−１０５）のＷＵＳ関連の機能の比較に基づいて決定される。具体例として、ＰＯ２１１におけるサブセット６５１の決定に関する個々の判断を図１２の挿入図（破線）に関連して説明する。図１２の挿入図は、ＰＯ２１１を共有するＵＥ（１０１−１０３）から送られてＢＳ１１２で受信される機能制御メッセージ４０１１を示している。図示のとおり、ＵＥ１０１のＷＵＳ関連の機能は、該ＵＥ１０１のＷＵＲ１３５２がＷＵＳ６０１をサポートするが、ＷＵＳ６０２とＷＵＳ６０３とをサポートしないようになっている。ＵＥ１０２のＷＵＳ関連の機能は、該ＵＥ１０２のＷＵＲ１３５２がＷＵＳ（６０１−６０３）全部をサポートするようになっており、ＵＥ１０３のＷＵＳ関連の機能は、該ＵＥ１０３のＷＵＲ１３５２がＷＵＳ６０１とＷＵＳ６０３とをサポートするが、ＷＵＳ６０２をサポートしないようになっている。サブセット６５１が、ＵＥ（１０１−１０３）のＷＵＳ関連の機能同士の比較に基づいて決定される。これによりＷＵＳ６０１のみを含むサブセット６５１が得られる（図１２中の一点鎖線で示す）。
【０１１５】
利用可能なＷＵＳ（６０１−６０３）のセット６５０からサブセット（６５１−６５３）を決定する場合に他の決定基準を採用することもできる。例えば、ＷＵＳのセット６５０中の所定のＷＵＳ（６０１−６０３）をサポートするＵＥ（１０１−１０５）の数を決定することができる。上記数がある所定の閾値を越えている場合は、対応するＷＵＳ（６０１−６０３）が対応するＰＯ（２１１−２１３）で使用されるサブセットに含まれている。例えば、（図１２の挿入図に示された）ＰＯ６０１についての図１２のシナリオを参照すると、ＷＵＳ６０１をサポートするＵＥ（１０１−１０３）の数は３、ＷＵＳ６０２をサポートするＵＥ（１０１−１０３）の数は１、ＷＵＳ６０３をサポートするＵＥ（１０１−１０３）の数は２である。
【０１１６】
ＰＯ２１２に関連するさらなる例を示す。図２に関連して前述したとおり、ＵＥ１０４とＵＥ１０５とはＰＯ２１２を共有している。図１２のもう１つの挿入図は、ＰＯ２１２を共有するＵＥ１０４とＵＥ１０５とから送信されてＢＳ１１２で受信された機能制御メッセージ４０１１を示している。図示のとおり、ＵＥ１０４の機能としてＵＥ１０４のＷＵＲ１３５２がＷＵＳ６０１とＷＵＳ６０３とをサポートするようになっている。一方、ＵＥ１０５のＷＵＲ１３５２はＷＵＳ（６０１−６０３）の全部をサポートする。このため、原理的には、ＢＳ１１２は、ＷＵＳ６０１及び／又はサブセット６５２に含まれるＷＵＳ６０３を自由に選択し得る。図１２の例では、ＰＯ２１２で使用されるＷＵＳのサブセット６５２はＷＵＳ６０３のみを含む。この理由は、ＷＵＳ（６０１−６０３）は優先度に応じてランク付けすることが可能なことによる。例えば、ＷＵＳ６０１は、ＷＵＳ６０３に比べて低い優先度でランク付けされる。ＷＵＳ６０１とＷＵＳ６０３とをサポートするＵＥ１０４とＵＥ１０５との数が同じであると、優先度の面から決定がなされる。したがって、ＷＵＳ６０３がＷＵＳ６０１に優先して用いられる。優先度はあらかじめ規定されている（例えば、ハードウェアにエンコードされている）。
【０１１７】
一般に、様々なオプションが上記優先度の決定に利用可能である。該オプションとして、限定はしないが、種々のＷＵＳ（６０１−６０３）に関連するスペクトルオーバーヘッド、及び種々のＷＵＳ（６０１−６０３）の電力効率がある。したがって、一般に、サブセットに含まれた１つ以上のＷＵＳを個別に受信する複数のＵＥの全部又は個々の推定総電力消費量に基づいてサブセットを決定することができる。これとは別に（又はこれに加えて）、サブセットに含まれた１つ以上のＷＵＳのシグナリングに関連する、推定制御シグナリングオーバヘッドに基づいてサブセットを決定することもできる。
【０１１８】
図１２では、ＰＯ２１１でＷＵＳ６０３の時間オフセット６１３が延長されている。これは、例えば、（機能制御メッセージ４０１１に示されたとおりに）ＭＲＸを動作状態に移すための、ＵＥ１０４とＵＥ１０５とのそれぞれの増加したレイテンシをサポートするためである。一般に、時間オフセット（６１１−６１３）は標示されたＵＥの機能に基づいて決定される。例えば、ＰＯ２１２との関連では、ＷＵＳ６０３は相対的に長い時間オフセット６１３を有している。
【０１１９】
電力効率と制御シグナリングオーバヘッドとのバランスを考慮して、所定のＵＥにおけるＷＵＳ機能を無効にすることが望ましい場合もある。該所定のＵＥとして同じＷＵＳをサポートするＵＥの数が少ない場合がこれに該当する。このことはコンフィギュレーション制御メッセージ４００１（図１０参照）を用いて該所定のＵＥに信号伝達される。
【０１２０】
図１３は様々な実施例に係る方法のフローチャートである。図１３の方法は通信システムのノードで実行される。例えば、図１３の方法はＢＳ１１２の制御回路１１２２で実行される。図１３の方法をＡＭＦ１３１又はＳＭＦ１３２の制御回路で実行することもできる。
【０１２１】
最初に、１００１でノードが複数のＵＥから制御メッセージを受信する。制御メッセージは、ＷＵＳのセット中の１つ以上のＷＵＳをサポートする該複数のＵＥの機能を示している。詳細には、制御メッセージは、それぞれがＷＵＳのセット中の１つ以上のＷＵＳをサポートする複数のＵＥの機能を示している。より詳細には、複数のＵＥ中の第１のＵＥから第１制御メッセージを受信する。このメッセージはＷＵＳのセット中の１つ以上のＷＵＳをサポートする第１のＵＥの機能を示している。例えば、第１のＵＥは、ＷＵＳのセット（Ａ、Ｂ、Ｃ、Ｄ）中のＷＵＳ（Ａ）と、ＷＵＳ（Ｃ）と、ＷＵＳ（Ｄ）とをサポートするが、ＷＵＳ（Ｂ）をサポートしない。また、複数のＵＥ中の第２のＵＥから第２制御メッセージを受信する。このメッセージは上記ＷＵＳのセット中の１つ以上のＷＵＳをサポートする第２のＵＥの機能を示している。例えば、第２のＵＥは、ＷＵＳのセット（Ａ、Ｂ、Ｃ、Ｄ）中のＷＵＳ（Ａ）とＷＵＳ（Ｄ）とをサポートするが、ＷＵＳ（Ｂ）とＷＵＳ（Ｃ）とをサポートしない。この例は３つ以上のＵＥ及び上記セット中の任意の数のＷＵＳに拡張できる。
【０１２２】
１００１で、例えば機能制御メッセージ４０１１を受信する（図１０参照）。図１３のシナリオ例では、複数のＵＥが１つのＰＯを共有している。
【０１２３】
一般に、ネットワークに接続しているＵＥ（例えば、セル内に位置するＵＥとして登録しているＵＥ）はそのＵＥの機能をネットワークに送信することができる。例えば、該ＵＥは、上記ＵＥ機能通知内のＷＵＲ機能を示す情報、又はネットワークに信号伝達される類似のタイプのＵＥ情報（例えば、他のタイプのＲＲＣシグナリングメッセージなど）を送信することができる。
【０１２４】
１００２で、ノードは、１００１で示されたＵＥの機能に基づいて、利用可能なＷＵＳのセット中のサブセットを決定する（図１１参照、ＰＯ（２１１−２１３）で使用されるＷＵＳの決定が図示されている）。
【０１２５】
様々なオプションをサブセットの決定に利用することができる。いくつかの例を以下に示す。例えば、サブセット（６５１−６５３）が、各ＰＯ（２１１−２１３）を共有するＵＥ（１０１−１０５）のＷＵＳ関連の機能の比較に基づいて決定される。さらなる例では、ＷＵＳのセット６５０中の所定のＷＵＳ（６０１−６０３）をサポートするＵＥ（１０１−１０５）の数を決定することができる。上記数がある所定の閾値を越えている場合は、対応するＷＵＳ（６０１−６０３）が対応するＰＯ（２１１−２１３）で使用されるサブセットに含まれている。別の例では、種々のＷＵＳ（６０１−６０３）の優先順位付け又はランク付けが採用される。一般に、様々なオプションが上記優先度の決定に利用可能である。該オプションとして、限定はしないが、種々のＷＵＳ（６０１−６０３）に関連するスペクトルオーバーヘッド、及び種々のＷＵＳ（６０１−６０３）の電力効率がある。これらの例を相互に組合せて新たな例にすることもできる。
【０１２６】
オプションのブロック１００３で、ノードは、サブセットに含まれた全てのＷＵＳについての時間オフセットを決定する（図１１参照、時間オフセット（６１１−６１３）が図示されている）。この時間オフセットは各ＰＯに対して規定される。例えば、この時間オフセットは、ＭＲＸが動作状態に移行する上で十分な時間が得られるような長さにされる。対応するコンストレイントもブロック１００１の制御メッセージの一部として示される。
【０１２７】
次いで、オプションのブロック１００４で、１つ以上のコンフィギュレーション制御メッセージが、ＰＯを共有する各ＵＥに送信される。例えば、コンフィギュレーション制御メッセージが、設定された各ＰＯで使用されるＷＵＳのサブセットを示す。コンフィギュレーション制御メッセージによって関連する時間オフセットを示すこともできる。
【０１２８】
オプションのブロック１００５で、サブセットに含まれた１つ以上のＷＵＳが適切な時間オフセットでＰＯに先立って送信される。必要に応じて、ＰＯに対する周波数オフセットが採用される。
【０１２９】
各ＰＯはＵＥのグループに関係しているため、各ＰＯに割り当てられた（すなわち、ＰＯを共有する）ＵＥには様々な組合せがあり得る。ネットワークはＵＥ機能についての情報を検討して、種々のＰＯに割り当てられたＵＥの各グループに使用されるＷＵＳを決定する。すなわち、図１３の方法が、ＰＯを共有する複数のＵＥグループ毎に繰り返される。
【０１３０】
図１４は様々な実施例に係る方法のフローチャートである。図１４の方法は通信システムのノードで実行される。例えば、図１４の方法はＵＥ１０１の制御回路１０１２で実行される。
【０１３１】
ブロック１０１１で、ＷＵＳのセット中の１つ以上のＷＵＳをサポートするノードの機能を示す、制御メッセージが送信される。したがって、ブロック１０１１はブロック１００１と相互に関連している。
【０１３２】
次いで、ブロック１０１２で、ＷＵＳのセット中のサブセットを示すコンフィギュレーション制御メッセージが受信される。このサブセットは少なくとも１つのＷＵＳを含む。したがって、ブロック１０１２はブロック１００４と相互に関連している。
【０１３３】
シナリオであって、ブロック１０１２のコンフィギュレーション制御メッセージが複数のＷＵＳを含むサブセットを示す、シナリオが想定され得る。該サブセットの複数のＷＵＳの少なくとも一部はノードによってサポートされる。また、あるＷＵＳを１つ以上の決定基準に基づいて上記サブセットから選択することができる。決定基準の例として、サブセットに含まれた複数のＷＵＳに関連する電力消費と、同複数のＷＵＳに関連する所定の優先度とがある。選択されたＷＵＳの検出に用いたＷＵＲが相応に構成される。これらの技術によって、ＵＥは受信ストラテジを適切に調整することができる。例えば、これらの技術によってＵＥはアイドルモードでの可能な最小のエネルギ消費を実現することができる。
【０１３４】
ブロック１０１４で、サブセットのＷＵＳが検出される。したがって、ブロック１０１３はブロック１００５と相互に関連している。ＷＵＳは、各ノードに割り当てられたＰＯに対して時間オフセット及び／又は周波数オフセットを置いて検出される。例えば、この時間オフセット及び／又は周波数オフセットはブロック１及び１２のコンフィギュレーション制御メッセージによって示される。
【０１３５】
実施例の中には、ブロック１０１２で受信されたコンフィギュレーション制御メッセージがＷＵＳ機能の無効化を示すことができるものもある。その場合、ブロック１０１４は実行されず、ノードはＰＯでページング信号を直接受信する。
【０１３６】
以上、要約すると、種々のＷＵＳオプションのいずれをサポートするかをＵＥがネットワークに通知できるようにする技術について説明を行った。また、どのＷＵＳを有効にするかをネットワークが決定することができるようにする技術について説明を行った。ネットワークは、ＵＥ機能に関するこれらの情報に基づいて、ＷＵＳの信号設計における種々のパラメータを選択することができる。さらにネットワークは、標示された機能に基づいて一連の適当なＷＵＳ設計の組合せを送信することができる。
【０１３７】
いくつかの好適な実施形態に関連して本発明を図示及び説明したが、本明細書を読んで理解することにより当業者は本発明の均等物並びに変更を実施することができる。本発明はそれらの均等物並びに変更を全て包含し、添付した請求の範囲によってのみ制限されるものである。
【０１３８】
例示のためにセルラネットワークで使用されるＷＵＳ技術について様々な実施例を説明したが、同様の技術を他の種類のネットワーク（例えば、アドホックネットワークやインフラストラクチャネットワークなど）に容易に適用することができる。
【０１３９】
また、例示のために、ＷＵＳが特定のＵＥを標示していない、すなわち、ＷＵＳが個々のＵＥに関連する識別情報を含んでいない様々な実施例を説明した。その場合、どのＵＥがネットワークによってページングされようとしているかについてのＵＥにおけるエクイティは（例えば、ページングメッセージに含まれたインジケータに基づいて）後の時点にならないとわからない。ただし、実施例の中には、（例えば、各ＵＥの識別情報と相関のある適切なシーケンスを選択することによって）ネットワークによってページングされようとしている特定のＵＥをＷＵＳによって示すことができるものもある。
【０１４０】
また、例示のために、ＲＡＮのＢＳによって、少なくとも１つのＷＵＳを含むサブセットが１つ以上のＷＵＳのセットから決定される実施態様に関連した様々な実施例を説明した。他の実施例では、ＷＵＳストラテジについての上記及び関連の機能が、例えばＡＭＦ又はＳＭＦなどの移動性制御ノードなどの、セルラネットワークのＣＮノードによって、実施されることもある。
【０１４１】
また、例示のために、異なる機能を有してかつ同一のＰＯを共有する複数のＵＥについての様々な実施例を示した。一般に、共通のＰＯを共有しない複数のＵＥも、先に説明したＷＵＳ関連の機能を示すことができる。そのようなシナリオにおいても、ネットワークは各ＰＯで用いるＷＵＳに関して適切な選択を行うことができる。
【図１】
2021533688.tif 000003
【図２】
2021533688.tif 000004
【図３】
2021533688.tif 000005
【図４】
2021533688.tif 000006
【図５】
2021533688.tif 000007
【図６】
2021533688.tif 000008
【図７】
2021533688.tif 000009
【図８】
2021533688.tif 000010
【図９】
2021533688.tif 000011
【図１０】
2021533688.tif 000012
【図１１】
2021533688.tif 000013
【図１２】
2021533688.tif 000014
【図１３】
2021533688.tif 000015
【図１４】
2021533688.tif 000016
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
ネットワークノード（１１２、１３１、１３２）を機能させる方法であって、
ページングオケージョン（２１１−２１３）を共有する端末（１０１−１０３、１０４−１０５）の、ウェイクアップ信号（６０１−６０３）のセット（６５０）中の１つ以上のウェイクアップ信号（６０１−６０３）をサポートする機能を示す制御メッセージ（４０１１）を受信することと、
前記受信した制御メッセージ（４０１１）に示された前記端末（１０１−１０３、１０４−１０５）の前記機能に基づいて前記ウェイクアップ信号（６０１−６０３）のセット（６５０）からサブセット（６５１−６５３）を決定することであって、前記サブセット（６５１−６５３）は前記ページングオケージョン（２１１−２１３）で使用される少なくとも１つのウェイクアップ信号（６０１−６０３）を含むサブセットを決定することと、を含むことを特徴とする方法。
【請求項２】
前記サブセット（６５１−６５３）は前記端末（１０１−１０３、１０４−１０５）の前記機能の比較に基づいて決定される、請求項１に記載の方法。
【請求項３】
前記ウェイクアップ信号（６０１−６０３）のセット（６５０）中のある所定のウェイクアップ信号（６０１−６０３）をサポートする前記端末（１０１−１０３、１０４−１０５）の数を決定することと、前記数があらかじめ規定された閾値を越えている場合に前記サブセット（６５１−６５３）内に前記所定のウェイクアップ信号（６０１−６０３）を含むことと、をさらに含む請求項１又は２に記載の方法。
【請求項４】
前記ウェイクアップ信号（６０１−６０３）のセット（６５０）中の前記ウェイクアップ信号（６０１−６０３）は優先度に応じてランク付けされ、
前記サブセット（６５１−６５３）は前記優先度に基づいて決定される、請求項１〜３のいずれか１つに記載の方法。
【請求項５】
前記サブセット（６５１−６５３）は、前記少なくとも１つのウェイクアップ信号を受信する前記端末（１０１−１０３、１０４−１０５）の全体又は個々の推定電力消費量に基づいて決定され、
前記サブセット（６５１−６５３）は、前記少なくとも１つのウェイクアップ信号（６０１−６０３）のシグナリングに関連した推定制御シグナリングオーバヘッドに基づいて決定される、請求項１〜４のいずれか１つに記載の方法。
【請求項６】
前記決定されたサブセット（６５１−６５３）を示すコンフィギュレーション制御メッセージ（４００１）を前記端末（１０１−１０３、１０４−１０５）に送信することをさらに含む、請求項１〜５のいずれか１つに記載の方法。
【請求項７】
前記ウェイクアップ信号（６０１−６０３）のセット（６５０）中の前記ウェイクアップ信号（６０１−６０３）は、複数の変調方式及び／又は複数の変調コンスタレーションに関連がある、請求項１〜６のいずれか１つに記載の方法。
【請求項８】
それぞれのページングオケージョン（２１１−２１３）に対して時間オフセット及び／又は周波数オフセットを置いて、前記サブセット（６５１−６５３）に含まれた前記少なくとも１つのウェイクアップ信号（６０１−６０３）を送信することをさらに含み、
前記端末（１０１−１０３、１０４−１０５）の前記機能に基づいて少なくとも１つの前記端末（１０１−１０３、１０４−１０５）に対するウェイクアップシグナリング機能を無効にすることをさらに含む、請求項１〜７のいずれか１つに記載の方法。
【請求項９】
さらなるページングオケージョン（２１１−２１３）を共有するさらなる端末（１０１−１０３、１０４−１０５）からのさらなる制御メッセージ（４０１１）を受信することであって、前記さらなる制御メッセージ（４０１１）は、前記ウェイクアップ信号（６０１−６０３）のセット（６５０）中の前記１つ以上のウェイクアップ信号（６０１−６０３）をそれぞれサポートする前記さらなる端末（１０１−１０３、１０４−１０５）のさらなる機能を示している制御メッセージ（４０１１）を受信することと、
前記さらなる端末（１０１−１０３、１０４−１０５）の前記さらなる機能に基づいて前記ウェイクアップ信号（６０１−６０３）のセット（６５０）のさらなるサブセット（６５１−６５３）を決定することであって、前記サブセット（６５１−６５３）は前記さらなるページングオケージョン（２１１−２１３）で使用される少なくとも１つのさらなるウェイクアップ信号（６０１−６０３）を含むサブセットを決定することと、をさらに含み、
前記サブセット（６５１−６５３）と前記さらなるサブセット（６５１−６５３）とは少なくとも一部が異なっている、請求項１〜８のいずれか１つに記載の方法。
【請求項１０】
端末（１０１−１０５）を機能させる方法であって、
ネットワーク（１００）への制御メッセージの送信であって、前記制御メッセージは、ウェイクアップ信号（６０１−６０３）のセット（６５０）中の１つ以上のウェイクアップ信号（６０１−６０３）をサポートする、前記端末（１０１−１０５）の機能を示す制御メッセージを送信することと、
前記ネットワーク（１００）からのコンフィギュレーション制御メッセージを受信することであって、前記コンフィギュレーション制御メッセージは前記ウェイクアップ信号（６０１−６０３）のセット（６５０）中のサブセット（６５１−６５３）を示しており、前記サブセット（６５１−６５３）は少なくとも１つのウェイクアップ信号（６０１−６０３）を含むコンフィギュレーション制御メッセージを受信することと、
ページングオケージョン（２１１−２１３）で前記サブセット（６５１−６５３）に含まれた前記少なくとも１つのウェイクアップ信号（６０１−６０３）中のある所定のウェイクアップ信号（６０１−６０３）を検出することと、を含むことを特徴とする方法。
【請求項１１】
前記サブセット（６５１−６５３）は複数のウェイクアップ信号（６０１−６０３）を含み、
前記方法は、
前記複数のウェイクアップ信号（６０１−６０３）の各信号の受信における少なくとも１回の電力消費量と前記複数のウェイクアップ信号（６０１−６０３）の各信号に関連するあらかじめ規定された優先度とに基づいて前記サブセット（６５１−６５３）から所定のウェイクアップ信号（６０１−６０３）を選択することをさらに含む、請求項１０に記載の方法。
【請求項１２】
ページングオケージョン（２１１−２１３）を共有する端末（１０１−１０３、１０４−１０５）の、ウェイクアップ信号（６０１−６０３）のセット（６５０）中の１つ以上のウェイクアップ信号（６０１−６０３）をサポートする機能を示す制御メッセージ（４０１１）を受信し、かつ
前記受信した制御メッセージ（４０１１）に示された前記端末（１０１−１０３、１０４−１０５）の前記機能に基づいて前記ウェイクアップ信号（６０１−６０３）のセット（６５０）からのサブセット（６５１−６５３）の決定であって、前記サブセット（６５１−６５３）は前記ページングオケージョン（２１１−２１３）で使用される少なくとも１つのウェイクアップ信号（６０１−６０３）を含むサブセットを決定する、ように構成される
ことを特徴とするネットワークノード（１１２、１３１、１３２）。
【請求項１３】
前記ネットワークノード（１１２、１３１、１３２）は請求項１〜９のいずれか１つに記載の方法を実行するように構成される、請求項１２に記載のネットワークノード（１１２、１３１、１３２）。
【請求項１４】
端末（１０１−１０５）であって、
ネットワーク（１００）への制御メッセージの送信であって、前記制御メッセージは、ウェイクアップ信号（６０１−６０３）のセット（６５０）中の１つ以上のウェイクアップ信号（６０１−６０３）をサポートする、前記端末（１０１−１０５）の機能を示す制御メッセージを送信し、
前記ネットワーク（１００）からのコンフィギュレーション制御メッセージの受信であって、前記コンフィギュレーション制御メッセージは前記ウェイクアップ信号（６０１−６０３）のセット（６５０）中のサブセット（６５１−６５３）を示しており、前記サブセット（６５１−６５３）は少なくとも１つのウェイクアップ信号（６０１−６０３）を含むコンフィギュレーション制御メッセージを受信し、かつ
ページングオケージョン（２１１−２１３）で前記サブセット（６５１−６５３）に含まれた前記少なくとも１つのウェイクアップ信号（６０１−６０３）中のある所定のウェイクアップ信号（６０１−６０３）を検出する、ように構成される
ことを特徴とする端末（１０１−１０５）。
【請求項１５】
前記端末（１０１−１０５）は請求項１０又は１１に記載の方法を実行するように構成される、請求項１４に記載の端末（１０１−１０５）。
【国際調査報告】
2021533688.tif 000017
2021533688.tif 000018
2021533688.tif 000019